(57)【特許請求の範囲】
【請求項１】
本体台紙と蓋体台紙の裏表両面に、品物の使用方法、使用上の注意等の説明書きが施され、かつ、前記本体台紙と蓋体台紙とが見開きの状態となるように連結され、他端は袋とじ状に接着結合してなり、本体台紙には品物の取り出し、収納自在の部分的切り欠き部を有する開放口、本体台紙と蓋体台紙を係止する仮止め機構及び品物を収納し得る透明カバーを本体台紙の表面に接着し、蓋体台紙にはその端部に開放機構を設けたことを特徴とする展示兼保存用収納ケース。
【請求項２】
本体台紙と蓋体台紙とが薄肉溝を介して見開きの状態となるように連結されてなる請求項１に記載の展示兼保存用収納ケース。
【請求項３】
本体台紙と蓋体台紙の形状が矩形にして、かつ両者の平面形状が相互に略対称形である請求項１〜請求項２のいずれかに記載の展示兼保存用収納ケース。
【請求項４】
本体台紙と蓋体台紙の袋とじ状接着結合を、端部を帯状に接着してなる請求項１〜請求項３のいずれかに記載の展示兼保存用収納ケース。
【請求項５】
蓋体台紙の開放機構が、ライン状の切込みによって行う請求項１〜請求項４のいずれかに記載の展示兼保存用収納ケース。
【請求項６】
本体台紙と蓋体台紙を係止する仮止め機構が、本体台紙に切り込まれた１個又は２個以上の仮止突起により行う請求項１〜請求項５のいずれかに記載の展示兼保存用収納ケース。
【請求項７】
品物を収納し得る透明カバーを下向きに置き、その上に品物を収容し、次いで予め蓋体台紙の他端とを袋とじ状に接着結合させておいた本体台紙を、その開放口を下向きに載置させ、次いで熱圧締して、品物を収納し得る透明カバーを本体台紙の表面に接着結合させることを特徴とする、本体台紙と蓋体台紙とが薄肉溝を介して見開きの状態となるように連結され、他端は袋とじ状に接着結合してなり、本体台紙には品物の取り出し、収納自在の開放口、本体台紙と蓋体台紙を係止する仮止め機構及び品物を収納し得る透明カバーを設け、蓋体台紙にはその端部に開放機構を設けた展示兼保存用収納ケースの製造方法。
【発明の詳細な説明】
【０００１】
【産業上の利用分野】
本発明は、例えば瞬間接着剤等の品物の展示用収納ケース（いゆわるブリスターパック）の改良に関する。
【０００２】
【従来の技術】
医薬品、化粧品等の化学品、特に瞬間接着剤等の販売に際し、厚紙、アルミ箔又はラミネートフイルム等の台紙に樹脂製の透明カバーを貼着して品物を覆い、いわゆるブリスターパックとして展示、陳列等されている。これらの台紙には製品（以下品物という）の使い方及びの使用上の注意等の説明書きが施してある。
【０００３】
そして、ブリスターパックから品物を取り出す際にブリスターパックを破って取り出すので、品物を取り出した後は、該パックはゴミ箱に捨て去られるのが通例である。この為、後からの使用に際して品物の説明書きがない等の事態が生ずる。
【０００４】
この問題を解決する方法として、例えば実開平１−１７９８７１号公報には、第１３図に示すような樹脂製の透明カバーの両縁側裏側に台紙の両縁側を挿入し得る溝条（いわゆるスライドパック）を設ける展示容器が記載されている。このような容器であれば、使用後に再度容器に収納することができ、前記問題点は解消される。
【０００５】
ところで、最近の店頭販売方式は、多くの品物を所定のスペース内において展示、陳列等する必要等から台紙の大きさにも制限があり、このため使用上の注意等の説明書きをするスペースも問題となっている。かかる問題は、前記従来技術によっては解決できない。
【０００６】
【発明が解決しようとする課題】
本発明は、極めてシンプルかつ合理的な方法により、すなわち工業的に有利に前記従来技術の問題点を一挙に解消したスリムな展示兼保存用収納ケースを提供せんとするものである。
【０００７】
【課題を解決するための手段】
本発明は、本体台紙１と蓋体台紙２とが見開きの状態となるように連結され、他端は袋とじ状に接着結合してなり、本体台紙には品物の取り出し、収納自在の開放口１０、本体台紙と蓋体台紙を係止する仮止め機構９及び品物を収納し得る透明カバー４を設け、蓋体台紙にはその端部に開放機構７を設けたことを特徴とする展示兼保存用収納ケースである。
本発明の好ましい実施態様は、本体台紙と蓋体台紙とが薄肉溝を介して見開きの状態となるように連結されてなる展示兼保存用収納ケースである。
【０００８】
以下、本発明について、図面に基づいて更に詳細に説明する。
なお、図中の記号は次の通りである。
１・・・・本体台紙
２・・・・蓋体台紙
３・・・・薄肉溝（ハーフカット）
４・・・・透明カバー
５・・・・品物
６・・・・吊り下げ穴
７・・・・切り開き機構（ライン状の切込みの例）
８・・・・（横線部）接着部
９・・・・仮止め突起
10・・・・（品物の取り出し、収納自在の）開放口
11・・・・切り開き部
12・・・・仮止め切込み
13・・・・切り開き用凹部
Ｋ・・・・透明カバーと本体台紙との接着部分を示す。
【０００９】
図１は、本発明の展示兼保存用収納ケースの本体台紙１と蓋体台紙２を見開いた状態を示す平面図であり、図２はその底面図である。
図３は、図１の平面図に透明カバー４を接着結合させた平面図である。透明カバーの接着結合する部分をＫで示した。
図４は図２の透明カバー４内に品物５を収納し、見開きとなっている蓋体台紙を閉じる状態を示す説明図である。本体台紙と蓋体台紙の接着部８で袋とじ状に接着結合される。
【００１０】
図５は、かくして袋とじ状に接着結合された本発明の展示兼保存用収納ケースの完成品の平面図の一例である。
図６は、本発明の展示兼保存用収納ケースの完成品の底面図の一例である。
図７は、本発明の展示兼保存用収納ケースの略側面図の一例である。
図８は、本発明の展示兼保存用収納ケースの他の略側面図の一例である。
図９は、本発明の展示兼保存用収納ケースの完成品を見開きの状態にした裏面図である。
【００１１】
図１０は、本発明の展示兼保存用収納ケースの使用後に仮止め突起９により仮止めした場合の底面図である。
図１１は、本発明の展示兼保存用収納ケースの使用後に仮止め切込み１２により仮止めした場合の他の底面図である。
図１２は、本発明の範囲内においての変形を説明するための平面図である。
図１３は、従来の展示収納容器の例を示す斜視図である。
【００１２】
次に本発明の展示兼保存用収納ケースの詳細について、更に説明する。
図５に例示した本発明の完成品である展示兼保存用収納ケースは、縦１７．５ｃｍ×横６．３ｃｍのスリムな矩形であり、この程度の大きさで実際に流通され、店頭においては吊り下げ穴６に掛けて陳列されるものである。
【００１３】
本発明の特徴は、本体台紙１と蓋体台紙２とが見開きの状態となるように連結されていることである。通常一体化したものから作成されるのが好ましい。すなわち、一体化した台紙をを二つ折りにすることで見開きの状態が出来上がる。該二つ折りの方法としては、機械的な単なる折り畳みの他、例えば、台紙に押圧線を引いたり、後述する薄肉溝を刻設する方法（いわゆるハーフカット）が考慮される。本発明の特に好ましい実施態様は、後者の本体台紙１及び蓋体台紙２は平面形状が相互に略対称形にして、図１〜図３に示したように薄肉溝３を介して折り畳み連結されていることである。
【００１４】
本発明の本体台紙１及び蓋体台紙２の材質は厚紙、コート紙、合成紙、その他種々のラミネート紙等があげられる。実際上の制限としては、使用方法及び使用上の注意等の説明書きが印刷、表記可能なものであれば、とくに制限されるものではない。
【００１５】
本体台紙１には、図１〜図２に示したように、品物の取り出し、収納自在の開放口１０が切欠される。この開放口１０は、品物を出し入れできればよく、従って図１２の１０’として示したように本体台紙１の開放口１０を部分的に切欠しておくこともでき、場合によってはその方が品物を安定して収納できるという利点もある。
【００１６】
本発明の本体台紙１には、品物を収容するための透明カバー４が設けられている。この透明カバー４の本体台紙１への固定方法としては、特に制限されないが、通常は本体台紙に予め塗布された感熱接着剤、通常の接着剤、糊等により、熱圧締、押し圧等により接着される。
【００１７】
また、この透明カバー４の固定方法としては、第７図に示したように、本体台紙１の表面に接着させることにより固定する方法と、第８図に示したように本体台紙１の裏面から突出するようにその裏面に接着固定させる方法がある。
【００１８】
第７図に示した展示兼保存用収納ケースを製造する方法は、例えば、次の方法によって行うことが出来る。
まず、透明カバーを、品物を収容し得る形に成形した透明カバー４を下向き置き、その上に品物５を収容し、次いで予め蓋体台紙の他端とを袋とじ状に接着結合させておいた本体台紙を、その開放口を下向きに載置させ、次いで熱圧締して、品物を収納し得る透明カバーを本体台紙の表面に接着結合させる方法により製造される。
【００１９】
ここで、本体台紙１と蓋体台紙２の他端を帯状の接着部８により袋とじ状に接着結合することと、品物５を収納し得る透明カバー４を本体台紙１に接着結合させることとは前記のように別々に接着してもよいし、また、以下のように同時的に行ってもよい。すなわち、まず、品物を収納し得る透明カバー４を下向き置き、その上に品物５を収容し、次いで開放口１０を有する本体台紙１を下向きに載置させ、蓋体台紙２の見開きを閉じ、次いで熱圧締して、本体台紙１と蓋体台紙２の他端を帯状の接着部８により袋とじ状に接着結合させ、同時に品物を収納し得る透明カバー４を本体台紙１に接着結合させる方法である。
【００２０】
接着固定の他の方法は、まず、開放口を有する本体台紙１を裏向きに置き、該開放口に品物を収納し得る透明カバー４を差し込み（載置させ）、その上に品物５を収容し、次いで蓋体台紙２の見開きを閉じ、次いで例えば熱圧締して、本体台紙１と蓋体台紙２の他端を袋とじ状に接着結合させ、且つ品物５を収納し得る透明カバー４を本体台紙１の裏面に接着結合させる方法により製造される。
【００２１】
ここで、本体台紙１と蓋体台紙の他端を接着部８により袋とじ状に接着結合することと、品物５を収納し得る透明カバー４を本体台紙１に接着結合させることとは同時的でもよいし、別々に接着させてもよい。
【００２２】
以上のように、本体台紙１に透明カバー４を接着結合させる方式は、例えば熱圧締が好ましい。通常本体台紙１の表面又は裏面に予めトップコート等も兼ねて塗布した感熱及び／又は感圧接着剤を用いることができる。透明カバーの接着結合部分を図３でＫで示した。
【００２３】
本発明に用いられる透明カバー４の材質としては、透明性のある樹脂、例えば硬質塩化ビニル樹脂、ポリエステル樹脂、ポリプロピレン樹脂等が好んで用いられる。この透明カバーは通常真空成形により予め作成される。
【００２４】
本発明の展示兼保存用収納ケースにおいて、本体台紙１及び蓋体台紙２は平面形状が相互に略対称形であり、両者は薄肉溝３を介して折り畳み連結される。従って、通常は、矩形台紙の一体物のセンターに薄肉溝３を刻設（いわゆるハーフカット）することで容易に製作される。かくして、本発明においては、本体台紙と蓋体台紙を見開きの状態に開放されることがその目的達成のために重要事項である。
【００２５】
本発明においては、本体台紙１と蓋体台紙とが好ましくは薄肉溝を介して見開きの状態に連結され、他端は袋とじ状に接着結合される。この袋とじ状接着結合は、図２及び図３に例示したように端部を接着部（８）に示したように帯状に接着結合させることが、本発明の目的達成のために重要事項である。また、この袋とじ状の接着結合は、通常は図２で示したようにその端部の一辺（接着剤部８）を接着させるが、例えば、大きな台紙等の場合には二方では開いてしまうことが考えられるので、三方或いは四方を接着させることも考慮される。
【００２６】
すなわち、本発明の目的は、品物の使い方及びの使用上の注意等の説明書きをするスペースを大きくすることであり、従っ該て接着結合の部分は出来る限り少ないことが望ましい。且つまた、この袋とじ状の接着結合の部分は、後述する効能、説明書きの部分を読みやすくするために中央よりも端部に設けることが好ましいことは自明である。
【００２７】
具体的には、前記透明カバー４と同様に、本体台紙１或いは蓋体台紙２の表面又は裏面に予め感熱及び／又は感圧接着剤等を塗布し、熱圧締処理により接着させる方法が好ましい実施態様であるが、この際に接着結合部分を上記に従って帯状に且つ出来るだけ少ない面積で済むように、また出来るだけ端部で接着するように、熱圧締に工夫する等が必要である。
【００２８】
また、この袋とじ状の接着結合は本体台紙１と蓋体台紙２を袋とじ状に結合して品物５の収納を完結させるものであり、従って結合方式としては前記接着剤による接着の他に、糊付け、粘着剤による接着等、その他にライン状の縫製、金属糸による縫い付け等縫製等が考慮されるが、工業的には糊付け、接着剤による接着、特に熱圧締接着による場合が好ましい実施態様である。
【００２９】
さて、品物がケースに収容された状態で流通され、店頭に置かれる。これを購入し、使用する者はこれを開放し、使用する訳であるが、本発明の展示兼保存用収納ケースには特有の開放機構が設けられている。
【００３０】
この開放機構も、本発明の目的を都合良く達成させるために、工夫がなされている。すなわち、開放部分は、品物の使い方及び使用上の注意等の説明書きを見やすくする必要から、蓋体台紙の端部に、且つ出来るだけ少ないスペースで済むように設けることが好ましい。
【００３１】
この目的のために、図１ではライン状の切込みによる開放機構の例を示したが、その他に図１２に示したような２列のカッティング方式（ジッパー方式）、或いはミシン目方式、テープカット方式、糸切り方式等が考慮される。これらの中でもジッパー方式は開放後の収納に際し、折曲がる等のことがなくきれいな線条にスムーズに開放され、便宜である。このジッパー方式においては、図１２の11で示した部分に開放マークを付し、或いは突起を付け、一方の本体台紙側には13で示したような切り開き用凹部を設けることで、開放が容易となり、更に便利である。
【００３２】
本発明の該開放機構は、流通過程や店頭に置かれる段階でしっかり固定されており、品物の収納が完結でき、使用するときに所定の力で開放される等の開放機構が備わっていれば特に制限されない。
【００３３】
かくして、蓋体台紙を見開きの状態に開放することにより、例えば、第９図に示すような見開きの状態となり、本体台紙に収納された品物を取り出すことができる。
【００３４】
そして、本発明の目的とする品物の使い方や使用上の注意等の説明書き部分が従来の２倍に増え、従ってスリムで且つ多くの説明が可能となり、ＰＬ法施行に対応した展示兼保存用収納ケースとなる。
【００３５】
次に、使用後再び本体台紙内に設けられた収納部に収納し、見開きを閉じ、図１０に示したように仮止めすることにより収納ケースとなる。この仮止めは、図１０では本体台紙に切り込まれた切込み突起９を興し、これに蓋体台紙の端部を差し込むことで仮止めしている。この仮止めの機構は、その他第１１図に示すような端部への切込み１２等が考えられる。
【００３６】
【発明の効果】
本発明になる展示兼保存用収納ケースは、瞬間接着剤容器等の品物の保存、保管用に極めて便利である。すなわち、瞬間接着剤等は、繰り返し使用されるものであり、一旦使用後に、保存し、しばらくしてから再び使用するときに、保管ケースを必要とする。そして、この保管ケースには使い方や使用上の注意が詳細に記載されていることが必要である。本発明の展示兼保存用収納ケースはこの目的に特に適する。
【００３７】
本発明の展示兼保存用収納ケースにおいて、特に優れた効能は、品物を取り出した後の収納ケースは見開きの状態になることから、使い方や使用上の注意等の説明書きの面積が通常の約２倍に増え、前記した極めてスリムなブリスターパックであるにも関わらず、沢山の説明書きができ、ＰＬ法施行に対応し易いことである。
【００３８】
また、本発明の展示兼保存用収納ケースは、単にブリスターパックとしての効能の他に、保存、保管用に利用することが出来るので、ブリスターパックを破って取り出した後は、該パックはゴミ箱に捨て去られること等がなくなり、説明書きがない等の問題は解消される利点がある。
【００３９】
本発明の展示兼保存用収納ケースは、スリムに製作することができるので、販売店のスペースを取らず、かつ見やすいものとなり、従来の問題点を一挙に解消するものである。
【００４０】
本発明の展示兼保存用収納ケースは、従来のブリスター作成の工程において、大きな変更を加えることなく、工業的に容易に製作することができる点においても極めて有利である。
【００４１】
【図面の簡単な説明】
【図１】は、本発明の展示兼保存用収納ケースの本体台紙と蓋体台紙の平面図。
【図２】はその底面図。
【図３】は、第１図の平面図に透明カバーを設けた説明図。
【図４】は図２の透明カバー４内に品物５を収納し、見開きとなっている蓋体台紙２を閉じる状態を示す説明図。
【図５】は、本発明の展示兼保存用収納ケースの完成品の平面図。
【図６】は、本発明の展示兼保存用収納ケースの完成品の裏面図。
【図７】は、本発明の展示兼保存用収納ケースの略側面図。
【図８】は、本発明の展示兼保存用収納ケースの他の略側面図。
【図９】は、本発明の展示兼保存用収納ケースを見開きの状態にした裏面図。
【図１０】は、本発明の展示兼保存用収納ケースの使用後に仮止めした場合の裏面図。
【図１１】は、本発明の展示兼保存用収納ケースの使用後に仮止めした場合の他の裏面図。
【図１２】は、本発明の範囲内においての変形を説明するための平面図である。
【図１３】は、従来の展示収納容器の例を示す斜視図である。
記号の説明
１・・・・本体台紙
２・・・・蓋体台紙
３・・・・薄肉溝（ハーフカット）
４・・・・透明カバー
５・・・・品物
６・・・・吊り下げ穴
７・・・・切り開き機構（ライン状の切込みの例）
８・・・・（横線部）接着部
９・・・・仮止め突起
10・・・・（品物の取り出し、収納自在の）開放口
11・・・・切り開き部
12・・・・仮止め切込み
13・・・・切り開き用凹部
Ｋ・・・・透明カバーと本体台紙との接着部分を示す。
【図１】
0003809964.tif 000002
【図２】
0003809964.tif 000003
【図３】
0003809964.tif 000004
【図４】
0003809964.tif 000005
【図５】
0003809964.tif 000006
【図６】
0003809964.tif 000007
【図７】
0003809964.tif 000008
【図８】
0003809964.tif 000009
【図９】
0003809964.tif 000010
【図１０】
0003809964.tif 000011
【図１１】
0003809964.tif 000012
【図１２】
0003809964.tif 000013
【図１３】
0003809964.tif 000014